(57)【要約】マルチパス通信チャネルのためのガードインターバル長を選択する（３４５）システム、装置、および方法を説明する。１つの実施形態では、選択されたコヒーレンス帯域幅（３３５）と通信チャネルのRMS遅延（３４０）との関係に基づいて、ガードインターバル長を選択する。
2009528754.tif 000002
【特許請求の範囲】
【請求項１】
マルチパスチャネルのガードインターバル長を選択するための装置であって、
信号を送受信するべくアンテナに連結されたアンテナインタフェースと、
周波数領域の前記信号を受信するべく連結されて前記信号のコヒーレンス帯域幅を特定する周波数共分散モジュールと、
前記周波数共分散モジュールと通信するべく連結されて前記信号の前記コヒーレンス帯域幅に関連するRMS遅延を推定するRMS遅延計算モジュールと、
前記RMS遅延計算モジュールと通信するべく連結されて前記信号の前記RMS遅延に基づくガードインターバル長を選択するガードインターバル選択器と、
を備えるガードインターバル選択装置。
【請求項２】
前記信号は、フーリエ変換を用いて周波数領域に変換される、請求項１に記載の装置。
【請求項３】
前記周波数共分散モジュールは、チャネルの搬送波の周波数とその振幅の間の関係を特定するために共分散関数を用いる、請求項１に記載の装置。
【請求項４】
前記周波数共分散モジュールは、１と０の間の閾値を前記共分散関数に適用することによって前記コヒーレンス帯域幅を特定する、請求項３に記載の装置。
【請求項５】
0.9でコヒーレンス帯域幅が選択されて周波数帯幅を規定する、請求項４に記載の装置。
【請求項６】
前記RMS遅延計算モジュールは、前記特定されたコヒーレンス帯域幅に関連するRMS遅延を特定する、請求項４に記載の装置。
【請求項７】
前記RMS遅延と特定された前記コヒーレンス帯域幅とは、お互いに逆比例でありスケーリングファクタによって関連付けられる、請求項６に記載の装置。
【請求項８】
前記装置は無線の受信機に設置され、
前記ガードインターバル長はフィードバック回路を介して送信機に供給される、請求項１に記載の装置。
【請求項９】
前記装置は無線の送信機に設置され、
時分割二重化システム内に前記送信機が作動しており、チャネル双方向性を仮定することによって、ガードインターバルの長さを選択する、請求項１に記載の装置。
【請求項１０】
無線チャネル中のガードインターバル長を選択するための方法であって、
マルチパス信号を受信するステップと、
時間領域から周波数領域へ前記マルチパス信号を変換するステップと、
前記信号内の周波数の相関関係を用いることによってコヒーレンス帯域幅を決定するステップと、
前記決定されたコヒーレンス帯域幅を用いて時間領域内のRMS遅延を計算するステップと、
前記計算されたRMS遅延に基づいてマルチパス通信チャネルのガードインターバル長を特定するステップと、
を含むガードインターバル長選択方法。
【請求項１１】
前記マルチパス信号は直交周波数分割多重信号である、請求項１０に記載の方法。
【請求項１２】
前記周波数と対応する振幅について記述する前記マルチパス信号の共分散関数を計算するステップをさらに有する、請求項１０に記載の方法。
【請求項１３】
前記共分散関数から導かれる周波数相関関数に９０％の閾値を適用することによって前記コヒーレンス帯域幅が決定される、請求項１２に記載の方法。
【請求項１４】
前記RMSは前記コヒーレンス帯域幅と逆比例の関係であり、且つ、５であるスケーリングファクタによって関連付けられる、請求項１３に記載の方法。
【請求項１５】
前記RMS遅延から導かれる最小ガードインターバル長よりも、前記ガードインターバル長が長くなるように選択される、請求項１０に記載の方法。
【請求項１６】
ガードインターバルの長さを選択するためにコンピュータが読み込み可能な媒体上で実施されたコンピュータプログラムであって、
マルチパス信号を受信するコンピュータ命令と、
前記マルチパス信号を時間領域から周波数領域に変換するコンピュータ命令と、
前記マルチパス信号の中で周波数の間の相関関係を用いて前記マルチパス信号のコヒーレンス帯域幅を決定するコンピュータ命令と、
前記決定されたコヒーレンス帯域幅を用いて時間領域の中のRMS遅延を計算するコンピュータ命令と、
前記計算されたRMS遅延に基づいてマルチパス通信チャネルのガードインターバルを特定するコンピュータ命令と、を有するコンピュータプログラム。
【請求項１７】
前記周波数と対応する振幅について記述する前記マルチパス信号の共分散関数を計算するコンピュータ命令をさらに有する、請求項１６に記載のコンピュータプログラム。
【請求項１８】
前記共分散関数から導かれる周波数相関関数に９０％の閾値を適用することによって前記コヒーレンス帯域幅が決定される、請求項１７に記載のコンピュータプログラム。
【請求項１９】
前記コンピュータ命令は無線通信機器の受信機中のメモリに保存される、請求項１６に記載のコンピュータプログラム。
【請求項２０】
前記RMS遅延から導かれる最小ガードインターバル長よりも、前記ガードインターバル長が長くなるように選択される、請求項１６に記載のコンピュータプログラム。
【発明の詳細な説明】
【技術分野】
【０００１】
本発明は、広くは無線通信技術に関し、より詳しくは無線チャネルの中に周波数相関特性に基づいたガードインターバル長の決定に関わる。
【背景技術】
【０００２】
無線通信の重要性と多数の異なった市場へのその応用はよく知られている。無線技術とその機器は、絶えず改良され続け、ユーザーが音声とデータの両方を寄り効果的に通信することができるように新しい機能と特徴が盛り込まれている。そのような特徴の1つ(WLAN通信)は携帯電話、スマートフォン、および携帯用情報端末(PDA)を含む多くの異なった無線機器と統合されてきている。
【０００３】
ポイントツーポイント接続またはワイヤレスのローカルエリアネットワーク("WLAN")のようにネットワークでつながれた接続の両方で、無線機器はお互いに通信できる。WLANアクセスポイントは、ネットワークがゲートウェイとして作動して、無線機器がネットワークで他の機器と通信することを可能にする。この通信は多くの場合、IEEE802.11標準などのような特定の通信標準規格に機器間の通信チャネルが従うのが必要とされる。通信チャネルを確立するために、無線機器とアクセスポイントはチャネルを分析し、ある通信特性を取り決める。
【０００４】
この通信チャネルには直交波周波数分割多重(OFDM)を使うことができ、このシステムではチャネル中の多くの異なった搬送波上に乗せてデータを送る。OFDMシステムは高いスペクトル効率と無線周波妨害に対して弾力的という特徴をもつ。OFDMチャネルは多重伝播路であり、その結果として信号に歪みを生じる。この信号の歪みは、様々な物体からの信号の反射のみならず、屈折率の変化をもたらす温度や気圧や湿度などの空間的変数を含む多くの要因によっても引き起こされる。WLAN環境が本質的にはマルチパスフェージングチャネルでありことにより、周波数群は減衰し、周波数領域の中で位相シフトが生じ、時間領域の中で隣接するシンボルがお互いに干渉してしまう。このタイプの干渉はシンボル間干渉と呼ばれる。
【０００５】
OFDMは、ガードインターバルを各シンボルに挿入することによって、シンボル間干渉に対処する。一般的なガードインターバルは、OFDMシンボルの周期的な拡張であり、新しい情報を全く含んでいない。ガードインターバルは、マルチパスチャネルによって引き起こされるシンボル間でのスミアを防ぐことを意図している。.
【０００６】
しかしながら、ガードインターバルの使用はデータ信号速度の非効率性を引き起こす。ガードインターバルの長さが増えるに従って、新データを伝えることの代わりにガードインターバルにより多くの時間が使われる。他方では、ガードインターバル長の間隔が小さ過ぎるなら、シンボル間干渉によって引き起こされたマルチパスによる歪みが大きくなり過ぎて、OFDM受信機で問題を起こすことがある。
【発明の開示】
【発明が解決しようとする課題】
【０００７】
ガードインターバルの長さを選択するためのシステム、デバイス、および方法について説明する。本発明は、周波数領域の中で多くの作業を実行することによってOFDMチャネルのためのガードインターバルの長さを選択する効率的な方法を提供する。特に、信号のコヒーレンス帯域幅とRMS遅延との関係を使用することによって、最小のガードインターバルの長さが特定される。
【課題を解決するための手段】
【０００８】
OFDM信号を受け取る無線機器は、一般に信号を周波数領域に変える。この変換を実行できる１つの方法は、離散フーリエ変換を信号に適用することである。
【０００９】
コヒーレンス帯域幅は、OFDM信号を使用する無線チャネルによって決定される。１つの実施形態では、コヒーレンス帯域幅は、OFDM信号の周波数相関特性を用いることで決定できる。そして、RMS遅延とコヒーレンス帯域幅との逆比例の関係に従って、決定しているコヒーレンス帯域幅からRMS遅延を推定する。この推定はこの数的指標を周波数領域から時間領域に効果的にマッピングする。なお、時間領域にガードインターバル長の数値が属する。決定されている信号のコヒーレンス帯域幅からの推定プロセスでスケーリングファクタが適用することができる。
【００１０】
ガードインターバルの長さを、RMS遅延を用いることで特定する。特に、チャネルのRMS遅延に従って、最小のガードインターバルの長さを決定する。その後、この最小の長さより長くて適切なガードインターバルの長さが選択して、OFDM信号の中で使用する。
【発明を実施するための最良の形態】
【００１１】
本発明の実施形態、および図面を伴って説明される実施例が以下に参照される。これらの図面は説明を補うものであって、発明の限定を意味しない。本発明はこれらの実施形態の文脈で一般に記載されているが、本発明の範囲をこれらの特定の実施例に制限することを意図しないのが理解されるべきである。
【００１２】
OFDMシステムの中で用いることができるガードインターバルの長さを特定するためのシステム、装置、および方法について説明する。本発明の１つの実施形態では、受信信号は周波数領域に変換される、そして、信号中の搬送波に対応する周波数共分散関数が計算される。周波数共分散関数を用いて、信号中の搬送波の周波数相関が特定される。コヒーレンス帯域幅は、第１の閾値を信号の周波数相関に適用することによって決定される。
【００１３】
コヒーレンス帯域幅とRMS遅延との逆比例的な統計的な関係に従って、予め決定されているコヒーレンス帯域幅から時間領域に属する二乗平均平方根（RMS）遅延が推定される。RMS遅延を使用して、OFDM信号のガードインターバルの最小長は特定される。１つの実施形態では、特定されたガードインターバルの最小長と標準規格によって定められた複数の長さとを比較することによって、実際のガードインターバル長が決定される。特定されたガードインターバルの最小長よりも長いものであって、最も効率的なガードインターバルの長さが選択される。
【００１４】
以下の記述において、説明のために、また本発明を理解して頂くために、特定の細部が設定される。しかしながら、当業者であれば、これらの細部に拘らずに本発明を実施できることは明らかである。さらに、当業者であれば、無線アクセスポイントや無線ルーターや携帯電話やスマートフォンやPDAを含む多くの異なる無線機器に、以下に述べられる本発明の実施形態を組み入れることが可能である。本発明はこれらの無線機器の中にハードウェアとしてまたはソフトウェアとしてまたはファームウェアとして統合することが可能である。したがって、以下のブロック図の中に示される機構と機器は本発明の特定の実施形態を描き表したものであり、本発明を不明瞭なものにすることを避けること意図したものである。さらに、図面中における構成要素同士の接続、あるいはモジュール同士の接続、あるいは構成要素とモジュール同士の接続は直接的な接続に限定されない。むしろ、これらの構成要素やモジュールは、中間的な構成要素やモジュールによって変形あるいは再構成あるいは変更することができる。
【００１５】
本明細書中で「１つの実施形態」「異なる実施形態」「ある実施形態」という言及は、その実施形態の関連の中で述べられた特定の特徴、構造、特性、あるいは機能が、本発明の少なくとも１つの実施形態に含まれることを意味する。本明細書の随所に使われる「１つの実施形態において」という表現は、すべて同じ実施形態を参照している必要性はない。
【００１６】
A. システム概要
図１は、アクセスポイントを持ち、その中で複数の無線機器が通信することができるWLANを図示する。このWLANは、無線アクセスポイント１４０と、コンピュータを含み得る複数のネットワークステーション１２５、１３５と、携帯電話のようなモバイル型無線機器１１５を含む。無線アクセスポイント１４０はネットワークスイッチやネットワークルーターを含むこともできる。
【００１７】
無線アクセスポイント１４０とほかの機器１１５、１２５、１３５は、OFDMチャネルのような無線マルチパスチャネル１２０、１３０、１４５をつかって互いに通信する。OFDMチャネルは多重搬送波チャネルであり、その中を多重周波数に乗ったデータが送信される。これらのチャネル１２０、１３０、１４５の信号構造は、通信が行われる環境とチャネルの特性に従って調節される。例えば、ある通信チャネルでは、マルチパスの反射によって起こされるシンボル間干渉が多く起きているということがある。そのような場合、このチャネル上を通信している機器は、この反射によって引き起こされるこのマルチパスの歪みを扱わなければいけない。
【００１８】
図２はOFDMチャネルでの典型的な信号構造を示す。１つの実施例では、WLANアクセスポイント２２０は、OFDM信号２１０を通じてモバイルワイヤレス機器２１５と通信する。特定のフォーマットまたは構造に従ったこのチャネル２１０で、データ送受信ことができる。１つの例では、シンボルを含むデータフレーム２３０はガードインターバル２４０によって切り離される。ガードインターバル２４０はデータフレーム２３０中のシンボルの周期的あるいは循環的な拡張でよい。
【００１９】
まったく新しいデータを同封していないので、受信機はガードインターバル２４０を通常無視して構わない。チャネル２１０中のすべてのシンボル間干渉を取り除くために、受信機はガードインターバルを捨てる。当業者であれば、マルチパスチャネル１２０によって引き起こされるどんな潜在的スミアよりもガードインターバル２４０の距離が長い状態を維持する重要性を理解できるだろう。
【００２０】
新データを伝えるのに使用されていない信号の一部を効果的に使用することによってガードインターバル２４０を捨てることは、OFDM方式の性能を効果的に減少させる。従って、シンボルのスミアを避けるために十分長いガードインターバルを維持するのが重要である。しかしながら、このガードインターバルの長さは他の通信面でシステムの性能を減少させることがある。
【００２１】
図３は、本発明の１つの実施形態に従って、ガードインターバルの長さが選択されたにちに信号に挿入されるOFDMシステムを図示する。受信機３７０は、OFDM信号を受け取り、信号の中のガードインターバル３６５を取り除く。FFTモジュール３６０は信号を周波数領域に変換する。その後、周波数領域信号は復調機３５５によって復調され、デコーダ３５０でデコードされる。また、その他の機器や構成要素が受信データパスの中に含まれても構わない。
【００２２】
周波数共分散モジュール３３５は受信データパスから周波数領域の信号を受け取る。１つの実施形態では、周波数共分散モジュール３３５は、FFTモジュール３６０の後で周波数領域信号を復調の前に受信する。周波数共分散モジュール３３５は、共分散関数を使用することで信号中の周波数相関を特定する。この相関関係は、後に信号のコヒーレンス帯域幅を導くのに使用される。RMS遅延計算モジュール３４０は、導かれたコヒーレンス帯域幅に関連したRMS遅延を推定する。その後、ガードインターバル選択器３４５が、推定された信号のRMS遅延を使用することでによってガードインターバルの最小長を選択する。以下では、ガードインターバルの最小長のこの選択についてさらに詳細に説明する。
【００２３】
送信データパスの中では、エンコーダー３１０は周波数領域の中でデータをエンコードし、変調機３１５はそのデータを信号の上に変調する。IFFTモジュール３２０は変調周波数ドメイン信号を時間領域に変換する。ガードインターバル挿入モジュール３２５は、時間領域の中でのデータのスミアを防ぐために、信号中のシンボルの間にガードインターバルを挿入する。ガードインターバル挿入モジュール３２５は、挿入されなければいけないガードインターバルの最小長を特定するためにガードインターバル選択器３４５に接続する。本発明の変形形態では、ガードインターバル挿入モジュール３２５は、特定されたガードインターバルの最小長よりも大きい異なったガードインターバル長を用いても構わない。例えば、標準規格が信号に追加できる複数のガードインターバル長を規定するかもしれなく、そして、この標準と特定されたガードインターバルの最小長さに関連した好ましいガードインターバルの長さを、ガードインターバル挿入モジュール３２５が選択ことも可能である。その後、送信機３３０は対応する送信機にOFDM信号を伝える。
【００２４】
B. ガードインターバル長の特定
図４は、本発明の１つの実施形態に従って、ガードインターバル長の特定機のブロック図である。適切なガードインターバルの長さは、チャネルの周波数相関、コヒーレンス帯域幅、およびRMS遅延の分析に基づいて特定される。この分析はOFDMの送信機あるいは受信機で実行することができる。
【００２５】
上で説明したように、OFDM信号は時間領域で受信される。フーリエ変換４１５を使用して、OFDM信号は周波数領域に変換される。この特定の実施例では、信号の周波数相関の分析を周波数領域で実行されると、時間領域と比べてよりリソースを集約しないで済む。この技術でよく知られている様々なタイプの構成要素で、信号を時間領域から周波数領域に変えるのに使用することが可能である。
【００２６】
周波数共分散モジュール４２０は入力されるOFDM信号の周波数共分散関数を計算する。OFDM信号は以下のように周波数領域で表される。
【００２７】
【数１】
2009528754.tif 000003
【００２８】
ここで、Nは周波数階調の数であり、XはOFDM信号内の狭帯域信号である。周波数領域でのこのOFDM信号を、図５Ａに図示される副搬送波のインデックスプロットによって、グラフィカルに表すことができる。この図では、複数の周波数が示され、それぞれが特定の振幅を持っている。これらそれぞれの周波数は、搬送波としてOFDMチャネルの中で作動して、データを内包するように変調される。直交振幅変調（QAM）あるいは２位相偏移変調("BPSK")などのように様々な変調技術を実行してもよい。
【００２９】
OFDMチャネルの特定の特性と、そこに使用されるガードインターバルの最小長との対応関係を特定するために、これらそれぞれの周波数間の相関関係を用いることができる。具体的には、周波数共分散モジュール５２０は以下に従って共分散関数を計算する。
【００３０】
【数２】
2009528754.tif 000004
【００３１】
ここで、C(m)はOFDMチャネル中における２つの周波数間の関係を統計的に測る。この共分散関数は、以下に従ってOFDMチャネルのために相関関数を定義するために用いることができる。
【００３２】
【数３】
2009528754.tif 000005
【００３３】
ここで、R(m)は１から０の間に値をとる周波数相関の統計的尺度である。
【００３４】
図５Ｂは、本発明の１つの実施形態による典型的な周波数共分散関数のグラフを示す。周波数共分散関数は整数Ｎの値に対して離散的な共分散の値を与える。本発明の１つの実施例では、この周波数共分散は０から１の間の値をとり、１が完全相関を意味し、０は相関関係がないことを意味する。当業者には、様々な周波数相関関数とグラフが共分散関数から作り出されることができると理解できるだろう。それらすべてが本発明の範囲の中に含まれることを意図する。
【００３５】
周波数共分散モジュール４２０は、適切なコヒーレンス帯域幅５５０を特定するために周波数相関関数に閾値５４０を適用する。コヒーレンス帯域幅とは周波数の範囲を記述し、その範囲では同一な利得かつ線形位相でOFDMチャネルのスペクトル成分が通過できる。
【００３６】
本発明の１つの実施形態では、閾値５４０を0.9と規定し、相関関数R(m)に適用する。この実施形態では、周波数相関関数R(m)に従って周波数相関が0.9以上の周波数の範囲として値Mが規定され見つけられる。例えば、0.9が適用されているなら、値32というように、特定のR(m)の値が特定される。802.11a標準規格から、総帯域幅は20MHzと規定し、最大のMの値を64と規定することも可能である。この情報をつかって、以下のようにコヒーレンス帯域幅(Bc)を規定できる。
(32/64) x 20MHz = 10MHz
【００３７】
そのような状況では、10MHzのコヒーレンス帯域幅は、90%以上の振動数相関に結び付けられる。正規化された相関関数が使用されているなら、適用される閾値は０から１まで採ることができ、あるいは特定の相関関数の特性によってはどのような範囲も採りうることを、当業者であるならば理解することができるだろう。
【００３８】
RMS遅延計算モジュール４３０は、特定されたコヒーレンス帯域幅に結びついたRMS遅延を計算する。この計算はその後の信号処理を周波数領域から時間領域に効果的に変換する。OFDMチャネルインパルス応答からRMS遅延が導かれ、これはマルチパス信号の遅延時間と振幅を表す。RMS遅延(DR)は以下のように信号のコヒーレンス帯域幅に逆比例している。
DR = X/Bc
ここで、Bcはコヒーレンス帯域幅である。この式は信号に対応するRMS遅延であり、Xはスケーリングファクタである。
【００３９】
この関係を使用して、RMS遅延計算モジュール４３０は、事前に選択されたコヒーレンス帯域幅からOFDMチャネルのためのRMS遅延を導くことができる。特に、計算されたコヒーレンス帯域幅からのRMS遅延を概算するために統計的な（スケーリングファクタXを含めた）関係を使用できる。例えば、上で説明した10MHzのコヒーレンス帯域幅が計算される実施例では、Xは５であり、対応するRMS遅延は0.5μsであると推定される。当業者であればRMS遅延にコヒーレンス帯域幅に関連付けるために様々な方法を使用できると理解するだろう。そして、それらすべてが本発明の範囲に含まれることを意図する。RMS遅延とコヒーレンス帯域幅との関係についての解説書の１つに"Mobile Radio Communications" Steele, R., IEEE Press (1994)が提供されている。
【００４０】
ガードインターバル選択器４４０は、計算されたRMS遅延に基づき適切なガードインターバルの長さを選択する。OFDMチャネルのインパルス応答からRMS遅延を導くので、チャネル中のマルチパス効果を補償するために適切なガードインターバルの長さをRMS遅延から決定できる。
【００４１】
上述のように、ガードインターバルは時間領域の中でシンボルのスミアを防ぐ。RMS遅延分散が増加するのに従って、信号フェージングの量は周波数の間でより広く変動し、より長いガードインターバルを必要とする。
【００４２】
本発明の１つの実施形態では、ガードインターバルのための最小長は、RMS遅延拡散がガードインターバル長より小さいように設定される。具体的には、マルチパス信号によって引き起こされた遅延の量を特定するためにOFDMチャネルRMS遅延の分析を実行し、 このマルチパスの歪みを扱うために適切なガードインターバルの長さを選択する。
【００４３】
ガードインターバルの長さの選択は他の要素にもまた依存する。例えば、ガードインターバルの長さが事前に規定されていることがある。IEEE802.11n案では、OFDMチャネル中に使うために選択できる複数のガードインターバルの長さを規定できる。この将来の標準規格のための提案に従えば、0.8μsまたは0.4μsのガードインターバルの長さを選択されるかもしれない。上で説明した実施例では、RMS遅延は、0.5μsになるように近似された。この設定では、0.4μsのガードインターバル長は近似されたRMS遅延より短いので、0.8μsのガードインターバル長が選択する。
【００４４】
１つの実施形態では、ガードインターバルの長さの計算と選択を受信機で実行して、これを送信機に提供することができる。別の実施形態では、時分割二重化システム(TDD)のチャネル双方向性を仮定して、それに従い送信機がガードインターバル長を選択することも可能である。
【００４５】
無線通信の両方の機器でガードインターバルの長さの選択を実行することも可能である。ひとつの変形形態では、ガードインターバルの計算と選択は無線通信中のひとつの機器で実行され、他方の機器は、無線チャネル上で受信した信号からガードインターバル長を導くことも可能である。具体的には、OFDM信号を受け取った機器は、それからガードインターバル長を分析できる。そして、OFDMチャネルでそのガードインターバル長を送信に適用する。
【００４６】
C.   ガードインターバルの長さを選択する方法
図６は、本発明の１つの実施形態に従って、ガードインターバルの長さを選択するための方法を構成から独立して示す。ワイヤレス機器は、OFDM信号を受け取って（ステップ６１０）、その信号を周波数領域に変える（ステップ６２０）。この変換を実行できる１つの方法は、フーリエ変換を信号に適用することである。
【００４７】
OFDM信号のためにコヒーレンス帯域幅が決定される（ステップ６３０）。１つの実施形態では、コヒーレンス帯域幅は、OFDM信号中の周波数相関特性を用いることで決定できる。RMS遅延は、決定されているコヒーレンス帯域幅を用いることで推定される（ステップ６４０）。これは効果的に、その後の信号処理を時間領域に変換する。RMS遅延はコヒーレンス帯域幅に逆比例であることから、RMS遅延が統計的に推定される。スケーリングファクタがこの推定で必要となることがある。
【００４８】
ガードインターバルの長さは、RMS遅延を用いることで特定される（ステップ６５０）。具体的には、信号のRMS遅延に従って、ガードインターバルの最小長は決定される。その後、この最小長より大きく適切なガードインターバルの長さが選択され、OFDMチャネルの中に用いる。
【００４９】
ある特定の実施形態を参照して本発明について説明したが、当業者であれば、様々な変更が提供され得ることを理解できるだろう。本発明によって上述の実施形態の様々な変形形態と変更形態が提供される。そして本発明は請求の範囲によってのみ限定される。
【図面の簡単な説明】
【００５０】
【図１】本発明の１つの実施形態に従った無線機器が通信できるアクセスポイントを含むWLANの概略図である。
【図２】本発明の１つの実施形態に従ったデータフレームとガードインターバルを含む無線チャネルの図式である。
【図３】本発明の１つの実施形態に従ったOFDMシステムのブロック図である。
【図４】本発明の１つの実施形態に従ったガードインターバルの長さを選択する装置のブロック図である。
【図５Ａ】本発明の１つの実施形態に従ったOFDMチャネル中の搬送波周波数を示す例のプロットである。
【図５Ｂ】本発明の１つの実施形態に従ったOFDMチャネルの周波数共分散関数のグラフ例である。
【図６】本発明の１つの実施形態に従ったガードインターバルの長さを測定するための方法を示すフローチャートである。
【図１】
2009528754.tif 000006
【図２】
2009528754.tif 000007
【図３】
2009528754.tif 000008
【図４】
2009528754.tif 000009
【図５Ａ】
2009528754.tif 000010
【図５Ｂ】
2009528754.tif 000011
【図６】
2009528754.tif 000012
【国際調査報告】
2009528754.tif 000013
2009528754.tif 000014
2009528754.tif 000015